(57)【要約】【課題】  床下空間、屋根裏空間等の通気を確保しつつ虫等の侵入を防止することができる通気防虫構造を提供する。【解決手段】  筒状の網部材１Ａを通気空間３の長手方向に沿うように配置し、網部材止め具２の針部２Ａを筒状の網部材１Ａの外周面に突き刺して筒状の網部材１Ａを貫通させ、土台２１に網部材止め具２の殴打部２Ｂを打ち込んで土台２１内部に入り込ませる。網部材止め具２が土台２１内部に入り込むことにより、網部材止め具２の殴打部２Ｂにより網部材１Ｃを径方向に弾性変形して、筒状の網部材１Ａの下部が基礎２２に押し当てられるため、通気空間６を確実に覆うことができる。【選択図】      図１
2005232813.tif 000002
【特許請求の範囲】
【請求項１】
屋根裏空間の通気のために、壁枠材の上方に設けられる桁材と、前記桁材に所定の間隔で架設される複数の垂木と、前記垂木の上面に設けられる野地板材とにより、隣り合う前記垂木の間で形成される通気空間において、
復元力を有し径方向に弾性変形可能な筒状の網部材を、前記桁材の軸方向に沿って、隣り合う前記垂木の間の前記通気空間に配置し、
前記網部材の下部を屋根裏空間側から前記桁材に押し付けることで弾性変形させつつ前記桁材に固定し、
前記網部材の下部を弾性変形させることで前記網部材の上部を径方向に押し上げて前記野地板材に押し当て、
前記通気空間を覆ってなることを特徴とする通気防虫構造。
【請求項２】
屋根裏空間の通気のために、壁枠材の上方に設けられる桁材と、前記桁材に所定の間隔で架設される複数の垂木と、前記垂木の上面に設けられる野地板材とにより、隣り合う前記垂木の間で形成される通気空間において、
復元力を有し面外曲げ方向に弾性変形可能な帯状の網部材を、前記桁材の軸方向に沿って、隣り合う前記垂木の間の前記通気空間に配置し、
前記網部材の下部を屋根裏空間側から前記桁材に固定し、
前記網部材を面外曲げ方向に弾性変形させつつ前記網部材の上部を前記野地板材に押し当て、
前記通気空間を覆ってなることを特徴とする通気防虫構造。
【請求項３】
床下空間の通気のために、基礎と、基礎の上方に設けられる土台との間の隙間として形成される通気空間において、
復元力を有し径方向に弾性変形可能な筒状の網部材を、前記土台の軸方向に沿って配置し、
前記網部材の上部を前記土台に押し付けることで弾性変形させつつ前記土台に固定し、
前記網部材の上部を弾性変形させることで前記網部材の下部を径方向に押し下げて前記基礎に押し当て、
前記通気空間を覆ってなることを特徴とする通気防虫構造。
【請求項４】
床下空間の通気のために、基礎と、前記基礎の上方に設けられる土台との間の隙間として形成される通気空間において、
復元力を有し面外曲げ方向に弾性変形可能な帯状の網部材を、前記土台の軸方向に沿って配置し、
前記網部材の上部を前記土台に固定し、
前記網部材を面外曲げ方向に弾性変形させつつ前記網部材の下部を前記基礎に押し当て、
前記通気空間を覆ってなることを特徴とする通気防虫構造。
【請求項５】
床下空間の通気のために、基礎と、基礎の上方に設けられる土台との間の隙間として形成される通気空間において、
復元力を有し径方向に弾性変形可能な筒状の網部材を、前記基礎の軸方向に沿って基礎の上面に配置し、
前記網部材を前記基礎に押し付けながら弾性変形させつつ前記土台を配置し、
前記網部材が弾性変形することによって、その弾性力で前記基礎と前記土台とに押え付けられて、前記通気空間を塞いでなることを特徴とする通気防虫構造。
【発明の詳細な説明】
【技術分野】
【０００１】
本発明は、床下空間、屋根裏空間等への通気の確保及び虫等の侵入の防止のための通気防虫構造に関する。
【背景技術】
【０００２】
一般に、住宅は、床下空間、屋根裏空間等に湿気を滞留させないようにするために、基礎、外壁、屋根等の所要部位に通気空間を設けて通気を確保している。
ところが、そのようにして通気空間を住宅に設けると、その通気空間に様々な虫等が入り込む場合があるので、通気空間を設けつつ虫等が通気空間に入り込まないようにするための技術が各種提案されている。
【０００３】
例えば、図１１に示すように、住宅の布基礎１２０と外装材１３０との境界部位において、通気と水切りと防虫と防鼠を兼ね備えた通気工法用水切り材１１０が提案されている（例えば、特許文献１参照）。
この通気工法用水切り材１１０は、以下のような部位において用いられる。
布基礎１２０と土台１４０との間の箇所に基礎パッキン１５０を挟み込むことによって形成された床下通気間隙１６０と、外装材１３０と柱１７０との間の適所に胴縁を挟み込むことによって形成された通気間隙１６１と、の両隙間に通気工法用水切り材１１０が取り付けられる。
この通気工法用水切り材１１０は、１枚の金属板から作られた通気工法用水切り材本体１１１と、鼠が通過できない通気孔を有する防鼠部１１２と、虫が通過できない通気孔を有する防虫部１１３とから構成されている。ここで、防鼠部１１２は、通気工法用水切り材本体１１１の前垂れ部１１４の下端で板金を折返し、前垂れ部１１４と雨水案内部１１５の裏面に沿うように加工した後、折曲箇所１１６で更に折曲げて形成している。防虫部１１３は、通気工法用水切り材本体１１１の取付部１１７の上端で板金を折返し、この取付部１１７に沿うように加工した後、折曲箇所１１８で更に折曲げて形成している。
【０００４】
したがって、この通気工法用水切り材１１０は、防虫部１１３が折曲箇所１１８によって折曲げ調節可能となっているため、通気間隙１６１の寸法の影響を受けずに取り付けることができる。また、防虫部１１３に折曲箇所１１８があるので、折曲げ調節可能範囲が広く、また、段部を胴縁取付け時の当りとして利用できる。さらに、折曲箇所１１８での折曲げを小さな力で行うことができるので、施工時の作業性に富むという利点がある。
【０００５】
また、図１２に示すように、屋根における通気及び防虫に関して、多孔体２００を屋根の通気空間の入口前方に取り付けた換気構造の技術が提案されている（例えば、特許文献２参照）。
多孔体２００は、中空の筒状に形成され、その外周には、中空の空間に連通する貫通孔が多数穿設されている部材である。この多孔体２００は、具体的には、以下のような部位に用いられる。
【０００６】
まず、住宅の屋根の構成を説明すると、壁パネル２１０は、他の壁パネルや床パネルに釘やボルト、ナット等により固定され、また、壁パネル２１０の上部室内側には天井板２２０が固定されている。さらに、壁パネル２１０の上端と棟木との間には屋根の垂木２３０が複数架設固定されている。そして、各垂木２３０間には、野地板などの屋根下地材２４０が張られ、これにより前記天井板２２０と屋根下地材２４０との間に屋根裏２５０が形成される。この屋根裏２５０内の天井板２２０上に断熱材２６０が敷き込まれている。また、屋根葺材は、屋根下地材２４０上に葺かれている。これにより、通気のための通気空間が確保されることとなる。
また、軒先の各垂木２３０の各先端部には第１の鼻かくし材２７１が釘などで固定されている。そして、軒先の前記垂木２３０下方には、枠材２８０Ａ，２８０Ｂ間に軒天材２８１が張られ、軒天井２８２が形成されている。そして、枠材２８０Ａに対して、第２の鼻かくし材２７２が取り付け固定されている。この第１の鼻かくし材２７１と第２の鼻かくし材２７２とは互いに離間して平行状態に取り付け固定されている。この第１の鼻かくし材２７１と第２の鼻かくし材２７２とを離間させることにより溝２７３が形成される。
多孔体２００は、溝部２７３に圧入することにより固定され、住宅の屋根に設けられる。
このように、多孔体２７３を設けたことにより、屋根の通気を確保しつつ虫等が屋根裏２５０内に侵入するのを防止することができる。
【特許文献１】特開２００３−１１９９１２号公報（段落０００９〜００１５、図４）
【特許文献２】実開昭５７−１７２８３４号公報（第２頁第５行目〜第３頁１４行目、図１）
【発明の開示】
【発明が解決しようとする課題】
【０００７】
しかしながら、特許文献１に記載の通気工法用水切り材１１０では、防虫部１１３等の折り曲げ加工に手間がかかり、施工が煩雑になるという問題がある。特に、住宅の基礎１２０においては、出隅部や入隅部において、通気工法用水切り材１１０の形成に手間がかかり、また、正確に出隅部や入隅部に適合するように形成しないと、出隅部や入隅部と通気工法用水切り材１１０との間に隙間が生じ、その隙間から虫等が住宅内や床下空間に侵入するという恐れもあった。
【０００８】
また、特許文献２に記載の換気構造では、軒先部を見上げたときの外観が悪く、また、住宅内への虫の進入を防ぐことはできても、天井板２２０上に敷き込まれた断熱材２６０が通気空間を塞いでしまうことがあるため、多孔体２００を設置して通気を確保したことが無意味になることがあった。
【０００９】
そこで、本発明では、前記した問題を解決し、床下空間、屋根裏空間等の通気を確保しつつ虫等の侵入を防止することができる通気防虫構造を提供することを目的とする。
【課題を解決するための手段】
【００１０】
前記課題を解決するため、本発明は、屋根裏空間の通気のために、壁枠材の上方に設けられる桁材と、前記桁材に所定の間隔で架設される複数の垂木と、前記垂木の上面に設けられる野地板材とにより、隣り合う前記垂木の間で形成される通気空間において、復元力を有し径方向に弾性変形可能な筒状の網部材を、前記桁材の軸方向に沿って、隣り合う前記垂木の間の前記通気空間に配置し、前記網部材の下部を屋根裏空間側から前記桁材に押し付けることで弾性変形させつつ前記桁材に固定し、前記網部材の下部を弾性変形させることで前記網部材の上部を径方向に押し上げて前記野地板材に押し当て、前記通気空間を覆ってなることを特徴とする。
【００１１】
このように、桁材の軸方向に沿って、桁材と、垂木と、野地板材とで囲まれ、隣り合う前記垂木の間で形成される通気空間に筒状の網部材を配置し、網部材の下部を屋根裏空間側から桁材に固定する。
網部材は、桁材に固定されることにより径方向に弾性変形し、網部材の上部が野地板材の方向に押し上げられて野地板材に押し当てられる。
そして、網部材の復元力により網部材の上部が野地板材に押し当てられている状態を維持することにより、通気空間を覆うことができるようになっている。
【００１２】
また、本発明は、屋根裏空間の通気のために、壁枠材の上方に設けられる桁材と、前記桁材に所定の間隔で架設される複数の垂木と、前記垂木の上面に設けられる野地板材とにより、隣り合う前記垂木の間で形成される通気空間において、復元力を有し面外曲げ方向に弾性変形可能な帯状の網部材を、前記桁材の軸方向に沿って、隣り合う前記垂木の間の前記通気空間に配置し、前記網部材の下部を屋根裏空間側から前記桁材に固定し、前記網部材を面外曲げ方向に弾性変形させつつ前記網部材の上部を前記野地板材に押し当て、前記通気空間を覆ってなることを特徴とする。
【００１３】
このように、桁材の軸方向に沿って、桁材と、垂木と、野地板材とで囲まれ、隣り合う前記垂木の間で形成される通気空間に帯状の網部材を配置し、網部材の下部を屋根裏空間側から桁材に固定する。
網部材は、桁材に固定されることにより面外曲げ方向に弾性変形し、野地板材に押し当てられる。
そして、網部材の復元力により網部材の上部が野地板材に押し当てられている状態を維持することにより、通気空間を覆うことができるようになっている。
【００１４】
また、本発明は、床下空間の通気のために、基礎と、基礎の上方に設けられる土台との間の隙間として形成される通気空間において、復元力を有し径方向に弾性変形可能な筒状の網部材を、前記土台の軸方向に沿って配置し、前記網部材の上部を前記土台に押し付けることで弾性変形させつつ前記土台に固定し、前記網部材の上部を弾性変形させることで前記網部材の下部を径方向に押し下げて前記基礎に押し当て、前記通気空間を覆ってなることを特徴とする。
【００１５】
このように、土台の軸方向に沿って、土台と基礎との間の隙間として形成される通気空間に筒状の網部材を配置し、網部材の上部を土台に固定する。
網部材は、土台に固定されることにより径方向に弾性変形し、網部材の下部が基礎の方向に押し下げられて基礎に押し当てられて、通気空間を覆うことができるようになっている。
【００１６】
また、本発明は、床下空間の通気のために、基礎と、前記基礎の上方に設けられる土台との間の隙間として形成される通気空間において、復元力を有し面外曲げ方向に弾性変形可能な帯状の網部材を、前記土台の軸方向に沿って配置し、前記網部材の上部を前記土台に固定し、前記網部材を面外曲げ方向に弾性変形させつつ前記網部材の下部を前記基礎に押し当て、前記通気空間を覆ってなることを特徴とする。
【００１７】
このように、土台の軸方向に沿って、土台と基礎との間の隙間として形成される通気空間に帯状の網部材を配置し、網部材の上部を土台に固定する。
網部材は、土台に固定されることにより面外曲げ方向に弾性変形し、基礎に押し当てられて、通気空間を覆うことができるようになっている。
【００１８】
また、本発明は、床下空間の通気のために、基礎と、基礎の上方に設けられる土台との間の隙間として形成される通気空間において、復元力を有し径方向に弾性変形可能な筒状の網部材を、前記基礎の軸方向に沿って基礎の上面に配置し、前記網部材を前記基礎に押し付けながら弾性変形させつつ前記土台を配置し、前記網部材が弾性変形することによって、その弾性力で前記基礎と前記土台とに押え付けられて、前記通気空間を塞いでなることを特徴とする。
【００１９】
このように、網部材を前記基礎と前記土台との間に配置して弾性変形させることで、その弾性力によってその網部材が基礎と土台とに押え付けられて通気空間を塞ぐことができるようになっている。
【発明の効果】
【００２０】
このような通気防虫構造によれば、床下空間、屋根裏空間等の通気を確保しつつ虫等の侵入を防止することができる。
【発明を実施するための最良の形態】
【００２１】
次に、本発明の実施形態について、適宜図面を参照しながら詳細に説明する。
なお、説明において、同一要素には同一符号を用い、重複する説明を省略する。
【００２２】
（第１実施形態）
本発明の第１実施形態に係る通気防虫構造は、図１（ａ）及び図４に示すように、桁材１１に垂木１２が架設され、垂木１２の上面に野地板材１３を張設して通気空間３が形成されている場合において、筒状の網部材１Ａ（以下、本実施形態において「網部材」という。）を網部材止め具２により弾性変形させつつ桁材１１に止め付け、弾性変形による復元力で網部材１Ａの上部を野地板材１３に押し当てつつ通気空間３を覆って、通気を確保しつつ虫の侵入を防ぐ構造となっている。
【００２３】
ここで、住宅の屋根について説明する。土台２１（図１（ｂ）参照）上に立設される壁枠材１４の上端部には、隣り合う壁枠材１４，１４・・・をつなぐための上枠材１４Ａが配置されて壁枠材１４に固定され、さらに、この上枠材１４Ａの上面に沿うように頭つなぎ材１４Ｂが配置され固定されている。また、頭つなぎ材１４Ｂの上面には、桁材１１が配置され固定されている。桁材１１の上面は、住宅外部側に下がるように傾斜する斜面となっており、垂木１２を配置することができるようになっている。また、壁枠組の住宅内部側の側面には、天井板材１５が設けられ、さらに、天井板材１５の上面に断熱材１５Ａが設けられる。また、垂木１２は、桁材１１と図示しない棟木材との間に所定の間隔で架設される。垂木１２の上面には野地板材１３が張設され、さらに野地板材１３の上面には瓦材１３Ａが葺かれる。このようにして、野地板材１３と天井板材１５との間に屋根裏空間４が形成される。
【００２４】
垂木１２は、その先端部が壁枠材１４に対して住宅外部側にはみ出すように架設されて軒先が形成される。これにより、野地板材１３と桁材１１との間に垂木１２の厚さの通気空間３が形成される。また、壁枠材１４には、外壁パネル１６が設けられ、住宅が装飾されている。この外壁パネル１６の上端部には軒天井板材１７が取り付けられ、壁内通気空間５Ａ軒天井裏空間５とが連通するようになっている。この軒天井板材１７は、面部が水平となるように配置され、一方の辺を外壁パネル１６の上端部に取り付ける。そして、他方の辺は、住宅外部側に向き、鼻かくし材１８により垂木１２の住宅外部側の端部とともに固定されている。これにより、野地板材１３と軒天井板材１７との間に軒天井裏空間５が形成される。
したがって、屋根裏空間４と軒天井裏空間５とは、垂木１２の厚さ分で形成された通気空間３により連通している。
【００２５】
網部材１Ａは、図２に示すように、長尺で中空部を有する円筒形状で、その表面が中空部Ｃに貫通した孔Ｋが多数形成されて網状となっており、外力を付与すると径方向に弾性変形することができ、弾性変形したことにより復元力を発生させてもとの形状に戻ろうとする性質を有している部材である。また、この貫通した孔Ｋは、空気を通すことはできるが虫を通さない程度の大きさとなっている。
よって、網部材１Ａを隣り合う垂木１２，１２・・・の間隔と同じ長さに加工して用いることにより、隙間を形成することなく通気空間３を覆うことができる。
【００２６】
網部材止め具２は、図６に示すように、先端が突起した針部２Ａと、打ち込むための殴打部２Ｂとから形成されており、例えば、釘等を用いることができる。
【００２７】
桁材１１に垂木１２が架設され、垂木１２の上面に野地板材１３を張設して形成された通気空間３を網部材１Ａで覆う場合は、以下のようにして行われる。
まず、網部材１Ａを通気空間３の長手方向に沿うように配置する。そして、図６（ａ）に示すように、網部材止め具２の針部２Ａを筒状の網部材１Ａの外周面に突き刺して網部材１Ａの中空部Ｃまで貫通させつつ、さらに網部材１Ａの内周面に突き刺して網部材１Ａの外部まで貫通させる。
【００２８】
つまり、針部２Ａは、網部材１Ａの中心より下方に突き刺す。これにより、網部材１Ａを断面視左右方向に縮径させ、断面視上下方向に拡径させる。このように網部材１Ａが上下方向に拡径されることで、網部材１Ａの上部が野地板材１３に押し当てられ、通気空間３を覆うことができる。
【００２９】
次に、通気空間３の下部に隣接して位置している桁材１１の屋根裏空間４側の側面に、網部材１Ａを貫通した網部材止め具２の針部２Ａの先端を突き刺し、そのままの状態で、網部材止め具２の殴打部２Ｂを打ち込んで、針部２Ａを桁材１１内部に入り込ませる。
【００３０】
そして、図６（ｂ）に示すように、網部材止め具２が桁材１１に打ち込まれて針部２Ａが桁材１１内部に入り込むことにより、網部材止め具２の殴打部２Ｂにより網部材１Ａを弾性変形させる。このとき、網部材１Ａは、径方向に弾性変形をすることによって網部材１Ａの径方向に復元力が発生し、網部材止め具２で拘束されていない部分がその復元力により通気空間３に隣接している野地板材１３に押し当てられる。
これにより、桁材１１に固定された網部材１Ａが径方向に弾性変形したことによる復元力で野地板材１３に押し当てられるため、通気空間３を確実に覆うことができる。
【００３１】
このようにして、網部材１Ａを弾性変形させ、その弾性変形による復元力で通気空間３を覆うことにより、屋根裏空間４の通気を確保しつつ、住宅外部からの虫の侵入を防ぐことができる。
また、網部材１Ａの取り付け位置に誤差が生じたとしても、弾性変形による復元力で野地板材１３に押し当てられる範囲内であれば、通気空間３を充分に覆うことができるため、通気防虫構造１０の施工を容易に行うことができるようになる。
【００３２】
（第２実施形態）
本発明の第２実施形態に係る通気防虫構造１０Ａは、網部材が帯状である点で第１実施形態に係る通気防虫構造１０と異なっている。そこで、本実施形態では、この帯状の網部材について説明する。
【００３３】
この網部材１Ｂは、図３に示すように、長尺の帯状となっており、貫通する孔Ｋが多数形成されて網状となっている。この帯状の網部材１Ｂ（以下、本実施形態において「網部材」という。）は、外力を付与すると面外曲げ方向に弾性変形することができ、弾性変形したことにより復元力を発生させてもとの形状に戻ろうとする性質を有している部材である。また、この貫通した孔Ｋは、空気を通すことはできるが虫を通さない程度の大きさとなっている。
よって、網部材１Ｂを隣り合う垂木１２，１２・・・の間隔と同じ長さに加工して用いることにより、隙間を形成することなく通気空間３を覆うことができる。
【００３４】
桁材１１に垂木１２が架設され、垂木１２の上面に野地板材１３を張設して形成された通気空間３を網部材１Ｂで覆う場合は、以下のようにして行われる。
まず、網部材１Ｂを通気空間３の長手方向に沿うように配置する。そして、網部材止め具２の針部２Ａを帯状の網部材１Ｂの下部に突き刺して網部材１Ｂを貫通させる。
【００３５】
次に、通気空間３の下部に隣接して位置している桁材１１の屋根裏空間４側の側面に、網部材１Ｂを貫通した網部材止め具２の針部２Ａの先端を突き刺し、そのままの状態で、網部材止め具２の殴打部２Ｂを打ち込んで、針部２Ａを桁材１１内部に入り込ませる。
【００３６】
ここで、網部材１Ｂは、桁材１１に固定されたことにより上方に立ち上がる状態を維持しようとする。しかしながら、上方には野地板材１３があるために網部材１Ｂの上部が野地板材１３に当接し、面外曲げ方向に弾性変形をして通気空間３を覆う。したがって、網部材１Ｂは、面外曲げ方向に弾性変形をすることによって復元力が発生し、通気空間３を覆った状態を維持するようになっている。
これにより、桁材１１に固定された網部材１Ｂが面外曲げ方向に弾性変形したことによる復元力で野地板材１３に押し当てられるため、通気空間３を確実に覆うことができる。
【００３７】
このように、図５に示すように網部材１Ｂを弾性変形させ、その弾性変形による復元力で通気空間３を覆うことにより、屋根裏空間４の通気を確保しつつ、住宅外部からの虫の侵入を防ぐことができる。
また、網部材１Ｂの取り付け位置に誤差が生じたとしても、弾性変形による復元力で野地板材１３に押し当てられる範囲内であれば、通気空間３を充分に覆うことができるため、通気防虫構造１０Ａの施工を容易に行うことができるようになる。
【００３８】
（第３実施形態）
本発明の第３実施形態に係る通気防虫構造２０は、図１（ｂ）に示すように、土台２１と基礎２２との間に基礎パッキン２３を介在させて通気空間６が形成されている場合において、筒状の網部材１Ｃ（以下、本実施形態において「網部材」という。）を網部材止め具２により弾性変形させた状態でこの通気空間６を覆って、通気を確保しつつ虫の侵入を防ぐ構造となっている。なお、網部材１Ｃは、第１実施形態に係る通気防虫構造で用いた網部材１Ａよりも直径が小さいものを用いる。
【００３９】
ここで、住宅の土台２１及び基礎２２について説明する。図１（ｂ）に示すように、地面より上方に立ち上げて形成された基礎２２の上端面において、所定間隔で配置された基礎パッキン２３が、基礎２２に埋め込まれて設けられた図示しないアンカーボルトにより固定されている。この基礎パッキン２３は、矩形形状であって、所定の厚さを有しており、アンカーボルトを挿通することができる拡径した貫通孔が設けられている。この貫通孔にアンカーボルトを挿通し、貫通孔の拡径する位置までナットを螺合させることにより、基礎２２と基礎パッキン２３とを固定することができるようになっている。この基礎パッキン２３の上面には、土台２１が配置される。したがって、基礎２２と土台２１との間には、基礎パッキン２３の厚さ分の通気空間６が形成される。また、土台２１上には根太２４の端部が横架され、この根太２４の上面に図示しない床材が張り渡されて、床材と土台２１と基礎２２とで床下空間７を形成する。
この通気空間６を床下空間７側から網部材１Ｃで覆うことにより、基礎２２の通気の確保と虫の侵入を防ぐことができる。
【００４０】
この土台２１と基礎２２との間に基礎パッキン２３を介在させて形成された通気空間６を網部材１Ｃで覆う場合は、以下のようにして行われる。
まず、網部材１Ｃを通気空間６の長手方向に沿うように配置する。そして、図８（ａ）に示すように、網部材止め具２の針部２Ａを筒状形状の網部材１Ｃの外周面に突き刺して網部材１Ｃの中空部Ｃまで貫通させつつ網部材１Ｃの内周面に突き刺して網部材１Ｃの外部まで貫通させる。
【００４１】
次に、通気空間６の上部に隣接して位置している土台２１に、網部材１Ｃを貫通して外部に位置する網部材止め具２の針部２Ａの先端を突き刺し、そのままの状態で、網部材止め具２の殴打部２Ｂを打ち込んで、針部２Ａを土台２１内部に入り込ませる。
【００４２】
そして、図８（ｂ）に示すように、網部材止め具２が土台２１に打ち込まれて針部２Ａが土台２１内部に入り込むことにより、網部材止め具２の殴打部２Ｂにより網部材１Ｃを径方向に弾性変形させる。このとき、網部材１Ｃは、径方向に弾性変形をすることによって網部材１Ｃの径方向に復元力が発生し、網部材止め具２で拘束されていない部分がその復元力により通気空間６に隣接している基礎２２の上面に押し当てられる。これにより、土台２１に固定された網部材１Ｃが弾性変形したことによる復元力で基礎２２に押し当てられるため、通気空間６を確実に覆うことができる。
【００４３】
このようにして、網部材１Ｃを弾性変形させ、その弾性変形による復元力を利用して通気空間６を覆うことにより、基礎２２で囲まれた床下空間７の通気を確保しつつ、住宅外部からの虫の侵入を防ぐことができる。
【００４４】
また、本発明の第３実施形態に係る通気防虫構造２０は、図７（ａ）に示すような、入隅部にも用いることができる。
【００４５】
図７（ａ）に示すように、入隅部に位置する基礎の上面には基礎パッキン２３が配置され固定される。この基礎パッキン２３から所定の間隔で他の基礎パッキン２３，２３・・・が固定される。この基礎パッキン２３，２３・・・の上面に、基礎２２の上面に沿うようにして土台２１が配置され固定される。
こうして、基礎パッキン２３の厚さの分の通気空間６が基礎２２と土台２１との間に形成される。
【００４６】
この場合、網部材１Ｃは、図７（ｂ）に示すように、入隅部で折り曲げられて用いられる。このように使用しても、土台２１に固定された網部材１Ｃが弾性変形して基礎２２に押し当てられるため、通気空間６を確実に覆うことができる。
したがって、入隅部においても通気空間を隙間なく覆うことができるので、確実に虫等の床下空間７への進入を防止することができる。また、通気防虫構造２０は、出隅部においても入隅部と同様に用いることができる。
【００４７】
また同様に、例えば、図９に示すような住宅の地下に地下構造物３０を設ける場合について説明する。
【００４８】
地下構造物３０は基礎２２と一体となるように、また、平面視矩形形状となるように形成され、住宅の躯体と分離して設けられている。したがって、地下構造物３０への通気の確保及び虫の侵入を防ぐために、基礎２２と土台２１との間に基礎パッキン２３を介在させて通気空間６が形成される点においては、前記のとおりである。
【００４９】
このような地下構造物３０においては、その利用に当たり照明機器が用いられるが、その照明機器の照明で虫がおびき寄せられ、虫が侵入しやすい構造となっている。したがって、本発明の第３実施形態に係る通気防虫構造２０は、照明におびき寄せられた虫を簡易かつ確実に防止可能とすることができる。
【００５０】
このような地下構造物３０に通気防虫構造２０を用いる場合は、地下構造物３０の内部側から網部材１Ｃが見えないように床下空間７側から設置される。
このとき、基礎２１は、地下構造物３０を囲うように設けられており、この基礎２２の上方には基礎パッキン２３を介して土台２１が配置され固定されている。
このように使用しても、土台２１に固定された網部材１Ｃが径方向に弾性変形したことによる復元力で基礎２２に押し当てられるため、通気空間６を確実に覆うことができる。
【００５１】
（第４実施形態）
本発明の第４実施形態に係る通気防虫構造２０Ａは、図１０（ａ）に示すように、網部材が帯状である点で第３実施形態に係る通気防虫構造２０と異なっている。そこで、本実施形態では、この帯状の網部材（以下、本実施形態において「網部材」という。）の設置方法について説明する。
【００５２】
この網部材１Ｄで土台２１と基礎２２との間に基礎パッキン２３を介在させて形成された通気空間６に覆う場合は、以下のようにして行われる。
まず、網部材１Ｄを通気空間６の長手方向に沿うように配置する。そして、網部材止め具２の針部２Ａを帯状の網部材１Ｄの上部に貫通させる。
【００５３】
次に、通気空間６の上部に隣接して位置している土台２１に、網部材１Ｄを貫通している網部材止め具２の針部２Ａの先端を突き刺し、そのままの状態で、網部材止め具２の殴打部２Ｂを打ち込んで、針部２Ａを土台２１内部に入り込ませて、網部材１Ｄを固定する。
【００５４】
ここで、土台２１に固定された網部材１Ｄは、垂直に立つ状態を維持しようとするが、図１０に示すように、土台２１の幅は、基礎２２の幅よりも狭くなっているため、網部材１Ｄの下部が基礎２２の上面の縁部に押し当てられることにより、面外曲げ方向に弾性変形をして通気空間６を覆う。したがって、網部材１Ｄは、面外曲げ方向に弾性変形をすることによって復元力が発生し、通気空間６を覆った状態を維持するようになっている。
これにより、土台２１に固定された網部材１Ｄが弾性変形したことによる復元力で基礎２２に押し当てられるため、通気空間６を確実に覆うことができる。
【００５５】
このようにして、網部材１Ｄを弾性変形させつつ、通気空間６を覆うことにより、基礎２２で囲まれた床下空間７の通気を確保しつつ、住宅外部からの虫の侵入を防ぐことができる。
【００５６】
（第５実施形態）
本発明の第５実施形態に係る通気防虫構造２０Ｂは、図１０（ｂ）に示すように、土台２１と基礎２２との間に基礎パッキン２３を介在させて形成されている通気空間６内に筒状の網部材１Ｃ（以下、本実施形態において「網部材」という。）を配置している点で第３実施形態と異なっている。そこで、本実施形態では、この網部材１Ｃの設置方法について説明する。なお、網部材１Ｃは、その直径が通気空間６を形成している基礎パッキン２３の厚さより大きいものを用いる。
【００５７】
ここで、住宅の土台２１及び基礎２２について説明する。図１０（ｂ）に示すように、地面より上方に立ち上げて形成された基礎２２の上端面において、所定間隔で配置された基礎パッキン２３が、基礎２２に埋め込まれて設けられた図示しないアンカーボルトにより固定され、隣り合う基礎パッキン２３の間に網部材１Ｃを配置する。ここで、網部材１Ｃは、基礎パッキン２３と網部材１Ｃの端部との間に隙間が生じないように配置することが好ましい。そして、基礎パッキン２３の上面には、土台２１が配置される。したがって、基礎２２と土台２１との間には、基礎パッキン２３の厚さ分の通気空間６が形成されつつ、基礎パッキン２３の厚さより直径が大きい網部材１Ｃが土台２１によって基礎２２に押し付けられて、基礎２２と土台２１との間に網部材１Ｃが固定される。
このとき、網部材１Ｃは、土台２１に押し付けられることで径方向に弾性変形し、網部材１Ｃに網部材１Ｃの径方向に復元力が発生して、基礎２２の上面及び土台２１の下面に押え付けられることとなる。これにより、通気空間６を確実に覆うことができる。
【００５８】
このようにして、網部材１Ｃを弾性変形させ、その弾性変形による復元力を利用して通気空間６を覆うことにより、基礎２２で囲まれた床下空間７の通気を確保しつつ、住宅外部からの虫の侵入を防ぐことができる。
【００５９】
以上、本発明について、好適な実施形態の一例を説明した。しかし、本発明は、前記実施形態に限られず、前記の各構成要素については、本発明の趣旨を逸脱しない範囲で、適宜設計変更が可能である。
【図面の簡単な説明】
【００６０】
【図１】（ａ）は、本発明の第１実施形態に係る通気防虫構造を屋根に適用した一例を示す断面図であり、（ｂ）は、本発明の第３実施形態に係る通気防虫構造を床下空間に適用した一例を示す断面図である。
【図２】筒状の網部材の一例を示す斜視図である。
【図３】帯状の網部材の一例を示す斜視図である。
【図４】本発明の第１実施形態に係る通気防虫構造を屋根に適用した一例を示す斜視図である。
【図５】本発明の第２実施形態に係る通気防虫構造を屋根に適用した一例を示す斜視図である。
【図６】（ａ）は、筒状の網部材を桁材に固定する直前を示す断面図であり、（ｂ）は、通気空間を筒状の網部材で覆った一例を示す断面図である。
【図７】（ａ）は、住宅の基礎部位の入隅部の一部を示した斜視図であり、（ｂ）は、本発明の第３実施形態に係る通気防虫構造を入隅部に適用した一例を示す斜視図である。
【図８】（ａ）は、筒状の網部材を土台に固定する直前を示す断面図であり、（ｂ）は、通気空間を筒状の網部材で覆った一例を示す断面図である。
【図９】本発明の第３実施形態に係る通気防虫構造を地下構造物に適用した一例を示す断面図である。
【図１０】（ａ）は、本発明の第４実施形態に係る通気防虫構造を入隅部に適用した一例を示す斜視図であり、（ｂ）は、本発明の第５実施形態に係る通気防虫構造の一例を示す斜視図である。
【図１１】従来の床下空間の通気防虫構造を示す断面図である。
【図１２】従来の屋根の通気防虫構造を示す断面図である。
【符号の説明】
【００６１】
１Ａ，１Ｃ  筒状の網部材（網部材）
１Ｂ，１Ｄ  帯状の網部材（網部材）
３      通気空間（第１実施形態，第２実施形態）
６      通気空間（第３実施形態，第４実施形態）
１０，１０Ａ，２０，２０Ａ，２０Ｂ  通気防虫構造
１１    桁材
１２    垂木
１３    野地板材
２１    土台
２２    基礎
【図１】
2005232813.tif 000003
【図２】
2005232813.tif 000004
【図３】
2005232813.tif 000005
【図４】
2005232813.tif 000006
【図５】
2005232813.tif 000007
【図６】
2005232813.tif 000008
【図７】
2005232813.tif 000009
【図８】
2005232813.tif 000010
【図９】
2005232813.tif 000011
【図１０】
2005232813.tif 000012
【図１１】
2005232813.tif 000013
【図１２】
2005232813.tif 000014